(57)【要約】【課題】内部が２つに分かれた形態でありながら、一枚のブランクにより簡単に組み立てることができる収納箱を提供すること。【解決手段】サック貼りした１枚のブランクを組み立てて形成される収納箱であって、角筒状をした胴部を周回する状態でそれぞれの面を横断する屈曲部分１２ａ，１２ｂ、１３ａ，１３ｂが設けられており、胴部の両端にはそれぞれ蓋パネル１６，１８が設けられ、少なくとも一方の蓋パネルに対向して延長パネル２４，２５が設けられており、角筒状の胴部を縮めることにより、屈曲部分がそれぞれ内部にＶ字状に突き出して同じ高さの棚板が形成されるとともに、延長パネル２４，２５を内部に折り込んで棚板に載せることにより、箱の内部を２つの室に区画する仕切板を形成する。延長パネルを折り曲げて間仕切りのある仕切板とし、その仕切板を棚板に載せて室をさらに複数の小さな室に区切った形態にすることもできる。【選択図】図４
2008195413.tif 000002
【特許請求の範囲】
【請求項１】
サック貼りした１枚のブランクを組み立てて形成される収納箱であって、角筒状をした胴部を周回する状態でそれぞれの面を横断する屈曲部分が設けられており、胴部の両端にはそれぞれ蓋パネルが設けられ、少なくとも一方の蓋パネルに対向して延長パネルが設けられており、角筒状の胴部を縮めることにより、屈曲部分がそれぞれ内部にＶ字状に突き出して同じ高さの棚板が形成されるとともに、延長パネルを内部に折り込んで棚板に載せることにより、箱の内部を２つの室に区画する仕切板が設けられてなることを特徴とする収納箱。
【請求項２】
延長パネルを折り曲げて間仕切りのある仕切板とし、その仕切板を棚板に載せて室をさらに複数の小さな室に区切ったことを特徴とする請求項１に記載の収納箱。
【発明の詳細な説明】
【技術分野】
【０００１】
本発明は、板紙からなる収納箱の分野に属し、詳しくは、物品を分けて収納できるようにするために中仕切を設けたタイプの収納箱に関するものである。
【背景技術】
【０００２】
従来より、商品を始めとする種々の物品を分けて入れるため或いは入れた物品が壊れないようにするため、用途に応じて種々の中仕切を設けた板紙製の収納箱が様々な分野で広く使用されている。中でも、発泡スチロールなどの緩衝材を中仕切として用いるのではなく、中仕切についてもこれを板紙で構成したものが使用されている。
【特許文献１】特開平８−３４４２９号公報
【特許文献２】特開平１１−４９１４５号公報
【特許文献３】特開２０００−１２８１５０号公報
【発明の開示】
【発明が解決しようとする課題】
【０００３】
従来の技術で挙げた板紙製の中仕切が付いた収納箱は、別の板紙材を組み込んだり或いは一枚のブランクから組み立てたりしている。しかしながら、物品に合わせた形状としたり、複数の物品を横に並べるように区画したものが殆どであって、重箱のように中を上下に分けるようにしたものは見当たらない。このように上下２つの室に分かれた収納箱があれば種々の使い方ができて便利ではあるが、簡単には作製することができず、特に一枚のブランクから組み立てることは難しいという問題がある。
【０００４】
本発明は、このような事情や問題点に鑑みてなされたものであり、その目的とするところは、内部が２つに分かれた形態でありながら、一枚のブランクにより簡単に組み立てることができる収納箱を提供することにある。
【課題を解決するための手段】
【０００５】
上記の目的を達成するため、本発明の収納箱は、サック貼りした１枚のブランクを組み立てて形成される収納箱であって、角筒状をした胴部を周回する状態でそれぞれの面を横断する屈曲部分が設けられており、胴部の両端にはそれぞれ蓋パネルが設けられ、少なくとも一方の蓋パネルに対向して延長パネルが設けられており、角筒状の胴部を縮めることにより、屈曲部分がそれぞれ内部にＶ字状に突き出して同じ高さの棚板が形成されるとともに、延長パネルを内部に折り込んで棚板に載せることにより、箱の内部を２つの室に区画する仕切板が設けられてなることを特徴としている。
【０００６】
この構成からなる収納箱によれば、サック貼りしたブランクを角筒状に起こし、その角筒状の胴部を上下に縮めて棚板を形成するとともに、延長パネルを折り込んでその棚板の上に載せて仕切板とするという簡単な操作により、内部が上下２つの室に分かれた形態の収納箱を簡単に組み立てることができる。
【０００７】
そして、このような収納箱において、延長パネルを折り曲げて間仕切りのある仕切板とし、その仕切板を棚板に載せて室をさらに複数の小さな室に区切った形態にすることができる。この構成により、物品をさらに細かく分けて入れることができる。
【発明の効果】
【０００８】
本発明の収納箱によれば、内部が仕切板により２つの室に分かれた形態の収納箱を一枚のブランクにより簡単に組み立てることができるので、物品に応じて種々の使い方に対応してこのタイプの箱を手軽に採用することができる。また、２つの室の少なくとも一方を間仕切りにより小さな室に区切ることにより、さらに種々の使い方ができる。
【発明を実施するための最良の形態】
【０００９】
次に、本発明の好適な実施形態について図面を参照しながら詳細に説明する。
【００１０】
図１は本発明に係る収納箱の一実施例を蓋を開けた状態で示す斜視図、図２は図１の収納箱を形成するブランクの展開図、図３〜図５は図２のブランクを組み立てる途中の状態を示す斜視図である。なお、ここでは図面に合わせて収納箱の上下を区別して説明するが、上下が説明とは逆でも構わないものであり、収納箱の上下は使い方によって任意に決めればよいものである。
【００１１】
図１に示す収納箱Ａ1 は、図２に示す１枚のブランクＢ1 を組み立てて形成される。このブランクＢ1 は、板紙を打ち抜いたもので、図示のように、折線ａ，ｂ，ｃ，ｄを介して、角筒状の胴部を形成するための糊代片１１、前面パネル１２、側面パネル１３、背面パネル１４、側面パネル１５が順次連設されている。なお、このブランクＢ1 においては前面パネル１２、側面パネル１３、背面パネル１４及び側面パネル１５の幅が略同じで、収納箱Ａ1 は横断面が正方形となっているが、これに限るものではなく長方形であっても構わない。
【００１２】
そして、胴部の上下を閉じるため、背面パネル１４の上辺には折線ｅを介して上蓋パネル１６が連設され、この上蓋パネル１６には折線ｆを介して差込みフラップ１７が連設されており、下辺には折線ｇを介して下蓋パネル１８が連設され、この下蓋パネル１８には折線ｈを介して差込みフラップ１９が連設されている。また、側面パネル１３の上下辺にはそれぞれ折線ｉ，ｊを介して折込み片２０，２１が連設され、側面パネル１５の上下片にはそれぞれ折線ｋ，ｌを介して折込み片２２，２３が連設されている。
【００１３】
ブランクＢ1 には、糊代片１１、前面パネル１２、側面パネル１３、背面パネル１４及び側面パネル１５のすべてを横断するようにして中程に３本の折線ｍ，ｎ，ｏが所定の等間隔で形成されており、これらの折線ｍ，ｎ，ｏにより、前面パネル１２には屈曲部分１２ａ，１２ｂが区画され、側面パネル１３には屈曲部分１３ａ，１３ｂが区画され、背面パネル１４には屈曲部分１４ａ，１４ｂが区画され、側面パネル１５には屈曲部分１５ａ，１５ｂがそれぞれ区画されている。そして、前面パネル１２の屈曲部分１２ａ，１２ｂにはその両端に折線ａ，ｂをそれぞれ底辺とし折線ｎ上を頂点とする直角二等辺三角形状の開口１２ｃが形成されており、同様に背面パネル１４の屈曲部分１４ａ，１４ｂにもその両端に折線ｃ，ｄそれぞれ底辺とし折線ｎ上を頂点とする直角二等辺三角形状の開口１４ｃが形成されている。
【００１４】
また、ブランクＢ1 は、前面パネル１２の上辺に折線ｐを介して幅が僅かに短くなった延長パネルを連設している。この延長パネルは、折線ｐに連設した高さ調整パネル２４とそれに折線ｑを介して連設した仕切パネル２５とから構成されており、このうち高さ調整パネル２４は折線ｍと折線ｐの間隔と略等しい長さで、その先の仕切パネル２５は側面パネル１３，１５の幅に略等しい長さになっている。この仕切パネル２５は胴部にちょうど入るサイズであり、その中央には仕切パネル２５を引き出すために指先が入るサイズの円形孔２５ａが設けられている。この例では、前述のように、前面パネル１２、側面パネル１３、背面パネル１４及び側面パネル１５の幅が略同じであるので、仕切パネル２５は略正方形になる。
【００１５】
ブランクＢ1 における折線ｍ，ｎ，ｏは、その折曲げやすさを考慮して、前面パネル１２、側面パネル１３、背面パネル１４及び側面パネル１５のところでは押し罫の途中に切込み線のあるリード罫で構成されており、糊代片１１のところでは連続する２つの切込線で構成されている。また、延長パネルを構成する高さ調整パネル２４と仕切パネル２５の境界にある折線ｑもリード罫で形成されいる。
【００１６】
上記のブランクＢ1 はサック貼りして供給する。すなわち、折線ｂ，ｄで折り曲げ、糊代片１１を側面パネル１５の端縁裏側に貼りつけた扁平状態とする。そして、箱詰め工程において、サック貼りしたブランクＢ1 を図３に示す如く角筒状に起こしてから、前面パネル１２の屈曲部分１２ａ，１２ｂ、側面パネル１３の屈曲部分１３ａ，１３ｂ、背面パネル１４の屈曲部分１４ａ，１４ｂ、側面パネル１５の屈曲部分１５ａ，１５ｂがそれぞれ内部にＶ字状に突き出るようにして角筒状の胴部を上下方向に縮める。そして、この縮めた状態で保持するため、図示はしてないが、縮めた各パネル１２，１３，１４，１５における棚板に対応する表面側に粘着テープを貼付する。或いは、重なる屈曲部分をホットメルト等の接着剤で固定する。これにより、図４に示すように、各パネル１２，１３，１４，１５の屈曲部分により同じ高さで向かい合う棚板が形成される。
【００１７】
このように胴部を縮めて内部に棚板を形成した後、延長パネルを内部に折り込んで棚板に載せる。すなわち、仕切パネル２５を高さ調整パネル２４に対して折り曲げながら、高さ調整パネル２４を前面パネル１２の裏側に当接させるようにして仕切パネル２５を棚板の上に載置する。これにより、図５に示すように、箱の内部を上下２つの室に区画する仕切板が設けられる。そして、仕切板で区画された上下の空間に物品を入れて下蓋パネル１８と上蓋パネル１６を閉じることで箱詰め状態とする。
【００１８】
このように図１の収納箱Ａ1 は、上下２つの空間に物品を収納できるので、物品に応じて種々の使い方ができる。例えば、二つ一組の部品（自転車や自動車の左右部品等）を入れて運ぶことができる。また、別途トレーを用いて下段にご飯、上段におかず・サラダ・調味料等を入れることでランチボックスとして利用することができる。
【００１９】
図６は本発明に係る収納箱の別の実施例を蓋を開けた状態で示す斜視図、図７は図６の収納箱を形成するブランクの展開図、図８〜図１１は図６のブランクを組み立てる途中の状態を示す斜視図である。
【００２０】
図６に示す収納箱Ａ2 は、図７に示す１枚のブランクＢ2 を組み立てて形成される。このブランクＢ2 は、板紙を打ち抜いたもので、図示のように、折線ａ，ｂ，ｃ，ｄを介して、角筒状の胴部を形成するための糊代片３１、前面パネル３２、側面パネル３３、背面パネル３４、側面パネル３５が順次連設されている。なお、このブランクＢ2 においては前面パネル３２、側面パネル３３、背面パネル３４及び側面パネル３５の幅が略同じで、収納箱Ａ2 は横断面が正方形となっているが、これに限るものではなく長方形であっても構わない。
【００２１】
そして、胴部の上下を閉じるため、背面パネル３４の上辺には折線ｅを介して上蓋パネル３６が連設され、この上蓋パネル３６には折線ｆを介して差込みフラップ３７が連設されており、下辺には折線ｇを介して下蓋パネル３８が連設され、この下蓋パネル３８には折線ｈを介して差込み片３９が連設されている。また、側面パネル３３の上下辺にはそれぞれ折線ｉ，ｊを介して折込み片４０，４１が連設され、側面パネル３５の上下片にはそれぞれ折線ｋ，ｌを介して折込み片４２，４３が連設されている。
【００２２】
ブランクＢ2 には、糊代片３１、前面パネル３２、側面パネル３３、背面パネル３４及び側面パネル３５のすべてを横断するようにして中程に３本の折線ｍ，ｎ，ｏが所定の等間隔で形成されており、これらの折線ｍ，ｎ，ｏにより、前面パネル３２には屈曲部分３２ａ，３２ｂが区画され、側面パネル３３には屈曲部分３３ａ，３３ｂが区画され、背面パネル３４には屈曲部分３４ａ，３４ｂが区画され、側面パネル３５には屈曲部分３５ａ，３５ｂがそれぞれ区画されている。そして、前面パネル３２の屈曲部分３２ａ，３２ｂにはその両端に折線ａ，ｂをそれぞれ底辺とし折線ｎ上を頂点とする直角二等辺三角形状の開口３２ｃが形成されており、同様に背面パネル３４の屈曲部分３４ａ，３４ｂにもその両端に折線ｃ，ｄそれぞれ底辺とし折線ｎ上を頂点とする直角二等辺三角形状の開口３４ｃが形成されている。
【００２３】
また、ブランクＢ2 は、前面パネル３２の上辺に折線ｐを介して幅が僅かに短くなった延長パネルを連設している。この延長パネルは、折線ｐに連設した高さ調整パネル４４と、それに折線ｑ，ｒ，ｓ，ｔを介して順次連設した横仕切パネル４５、縦仕切パネル４６、縦仕切パネル４７、横仕切パネル４８と、横仕切パネル４８に連設した高さ調整パネル４９とから構成されており、このうち高さ調整パネル４４，４９と縦仕切パネル４６，４７は折線ｍと折線ｐの間隔と略等しい長さで、横仕切パネル４５，４８は側面パネル３３，３５の幅の半分程度の長さになっている。
【００２４】
さらに、ブランクＢ2 は、前面パネル３２の下辺にも折線ｖを介して幅が僅かに短くなった延長パネルを連設している。この下辺側の延長パネルは、折線ｖに連設した横仕切パネル５０と、それに折線ｗ，ｘ，ｙ，ｚを介して順次連設した縦仕切パネル５１、縦仕切パネル５２、横仕切パネル５３と、横仕切パネル５３に連設した高さ調整パネル５４とから構成されており、このうち縦仕切パネル５１，５２と高さ調整パネル５４は折線ｏと折線ｖの間隔と略等しい長さで、横仕切パネル５０，５３は側面パネル３３，３５の幅の半分程度の長さになっている。また、前面パネル３２下辺側の折線ｖの中程には下蓋パネル３８の差込み片３９が入るサイズのスリットαが形成されている。
【００２５】
ブランクＢ2 における折線ｍ，ｎ，ｏは、その折曲げやすさを考慮して、前面パネル３２、側面パネル３３、背面パネル３４及び側面パネル３５のところでは押し罫の途中に切込み線のあるリード罫で構成されており、糊代片１１のところでは連続する２つの切込線で構成されている。また、前面パネル３２の上辺側の延長パネルにおける折線ｑ，ｒ，ｔ，ｕと下辺側の延長パネルにおける折線ｗ，ｙ，ｚもリード罫で形成されている。
【００２６】
上記のブランクＢ2 はサック貼りして供給する。すなわち、折線ｂ，ｄで折り曲げ、糊代片３１を側面パネル３５の端縁裏側に貼りつけた扁平状態とする。そして、箱詰め工程において、サック貼りしたブランクＢ2 を図８に示す如く角筒状に起こしてから、前面パネル３２の屈曲部分３２ａ，３２ｂ、側面パネル３３の屈曲部分３３ａ，３３ｂ、背面パネル３４の屈曲部分３４ａ，３４ｂ、側面パネル３５の屈曲部分３５ａ，３５ｂがそれぞれ内部にＶ字状に突き出るようにして角筒状の胴部を上下方向に縮める。そして、この縮めた状態で保持するため、図示はしてないが、縮めた各パネル３２，３３，３４，３５における棚板に対応する表面側に粘着テープを貼付する。或いは、重なる屈曲部分をホットメルト等の接着剤で固定する。これにより、図９に示すように、各パネル３２，３３，３４，３５の屈曲部分により同じ高さで向かい合う棚板が形成される。
【００２７】
このように胴部を縮めて内部に棚板を形成した後、延長パネルを内部に折り込んで棚板に載せる。この場合、上下の各延長パネルを図１０に示すように屈曲させた状態でそれぞれ棚板の上に載置するように箱の中に収納する。これにより、図１１に示すように、箱の内部が上下２つの室に区切られ、しかも上下の各室が間仕切りによってさらに２つの小さな室に区切られた状態となる。この４つの空間に物品を入れて下蓋パネル３８と上蓋パネル３６を閉じることで箱詰め状態とする。
【００２８】
図１２は図６の収納箱に物品を収納した状態を概略的に示した説明図であり、この収納箱Ａ2 の場合、上下段の間仕切りが同じ向きであり、下段の小さな室は棚板で邪魔になるため、箱を完成してしまうと下段側に物品を入れづらい。したがって、下段を組み立てつつ物品Ｎ1 ，Ｎ2 を収納してから、上段を組み立てて物品Ｎ3 ，Ｎ4 を収納することになる。
【００２９】
延長パネルを折り曲げて間仕切りのある仕切板とし、その仕切板を棚板に載せて室をさらに複数の小さな室に区切るタイプの収納箱は、図６の収納箱に限るものではなく、例えば図１３〜図１６に示すように、収納する物品に対応して種々の変形パターンを採ることができる。これらの収納箱は、図７に準じたブランクを設計し、これを同様に組み立てることで作成することができる。
【００３０】
図１３の収納箱Ａ’は、上下段の間仕切りが同じ向きではなく対称となったタイプであり、この収納箱Ａ’の場合、どちらか一方の段に小さな室を形成して片方ずつ物品Ｎを収納することもできるし、箱を完成してから両方に収納することもできる。
【００３１】
図１４の収納箱Ａ’は、図６の収納箱Ａ2 おいて棚板を短くしたタイプである。本発明の収納箱では仕切板を棚板の胴部側で支えるので、棚板は長くする必要がなく、このタイプのように短くても差し支えない。ただし、厚い紙を使用して棚板を短くすると組み立てにくくなるので、使用する用紙、箱のサイズ等を勘案して適宜決めるようにする。。
【００３２】
図１５の収納箱Ａ’は、下段に間仕切りを設けないタイプであり、上段の間仕切りの高さも低くしてある。図１６の収納箱Ａ’は、下段に間仕切りを設けず、さらに上段の間仕切りを高さを低くするとともに箱の端寄りとしたタイプである。これらの収納箱Ａ’は、物品Ｎとして例えば、携帯電話、充電器、取扱い説明書のセットを収納することが想定される。また、コンタクトレンズ（左右の度数が必ず違うので、左目用と右目用を間仕切りの左右に収納する）と洗浄液や洗浄容器のセットも想定される。また、女性向けに、洗顔フォーム、メイク落とし、化粧水、乳液をセットした旅行用洗顔セットも想定される。
【００３３】
図１７の収納箱Ａ’は、延長パネルの折曲げ回数を増やして複数の間仕切りを有する仕切板としたものである。すなわち、この収納箱Ａ’は、間仕切りの数が上下に４個ずつある細長い箱であって、上下段にそれぞれに５個ずつ物品Ｎを並べて収納できる。
【００３４】
また、上記した何れの収納箱においても、開封用のジッパーを胴部を周回する形態で設けるようにしてもよい。特に、図６に示す収納箱では胴部の下段を周回するようにジッパーを設けると開けやすくなる。
【００３５】
以上、本発明の実施の形態について詳細に説明してきたが、本発明による収納箱は、上記実施の形態に何ら限定されるものではなく、本発明の趣旨を逸脱しない範囲において種々の変更が可能であることは言うまでもない。
【図面の簡単な説明】
【００３６】
【図１】本発明に係る収納箱の一実施例を蓋を開けた状態で示す斜視図である。
【図２】図１の収納箱を形成するブランクの展開図である。
【図３】図１の収納箱を組み立てる途中の状態で示す斜視図である。
【図４】図３に続く組立途中の状態を示す斜視図である。
【図５】図４に続く組立途中の状態を示す斜視図である。
【図６】本発明に係る収納箱の別の実施例を蓋を開けた状態で示す斜視図である。
【図７】図６の収納箱を形成するブランクの展開図である。
【図８】図６の収納箱を組み立てる途中の状態で示す斜視図である。
【図９】図８に続く組立途中の状態示す斜視図である。
【図１０】図９に続く組立途中の状態を示す斜視図である。
【図１１】図１０に続く組立途中の状態を示す斜視図である。
【図１２】図６の収納箱に物品を収納した状態を概略的に示した説明図である。
【図１３】図６の収納箱の変形例を概略的に示した説明図である。
【図１４】図６の収納箱の変形例を概略的に示した説明図である。
【図１５】図６の収納箱の変形例を概略的に示した説明図である。
【図１６】図６の収納箱の変形例を概略的に示した説明図である。
【図１７】図６の収納箱の変形例を概略的に示した説明図である。
【符号の説明】
【００３７】
Ａ1 ，Ａ2 ，Ａ’  収納箱
Ｂ1 ，Ｂ2   ブランク
Ｎ，Ｎ1 ，Ｎ2 ，Ｎ3 ，Ｎ4   物品
ａ〜ｚ  折線
α  スリット
１１  糊代片
１２  前面パネル
１２ａ，１２ｂ  屈曲部分
１２ｃ  開口
１３  側面パネル
１３ａ，１３ｂ  屈曲部分
１４  背面パネル
１４ａ，１４ｂ  屈曲部分
１４ｃ  開口
１５  側面パネル
１５ａ，１５ｂ  屈曲部分
１６  上蓋パネル
１７  差込みフラップ
１８  下蓋パネル
１９  差込みフラップ
２０，２１  折込み片
２２，２３  折込み片
２４  高さ調整パネル
２５  仕切パネル
２５ａ  円形孔
３１  糊代片
３２  前面パネル
３２ａ，３２ｂ  屈曲部分
３２ｃ  開口
３３  側面パネル
３３ａ，３３ｂ  屈曲部分
３４  背面パネル
３４ａ，３４ｂ  屈曲部分
３４ｃ  開口
３５  側面パネル
３５ａ，３５ｂ  屈曲部分
３６  上蓋パネル
３７  差込みフラップ
３８  下蓋パネル
３９  差込み片
４０，４１  折込み片
４２，４３  折込み片
４４  高さ調整パネル
４５  横仕切パネル
４６  縦仕切パネル
４７  縦仕切パネル
４８  横仕切パネル
４９  高さ調整パネル
５０  横仕切パネル
５１  縦仕切パネル
５２  縦仕切パネル
５３  横仕切パネル
５４  高さ調整パネル
【図１】
2008195413.tif 000003
【図２】
2008195413.tif 000004
【図３】
2008195413.tif 000005
【図４】
2008195413.tif 000006
【図５】
2008195413.tif 000007
【図６】
2008195413.tif 000008
【図７】
2008195413.tif 000009
【図８】
2008195413.tif 000010
【図９】
2008195413.tif 000011
【図１０】
2008195413.tif 000012
【図１１】
2008195413.tif 000013
【図１２】
2008195413.tif 000014
【図１３】
2008195413.tif 000015
【図１４】
2008195413.tif 000016
【図１５】
2008195413.tif 000017
【図１６】
2008195413.tif 000018
【図１７】
2008195413.tif 000019